(57)【要約】  【課題】  単純な操作で機器本体から電源ユニットを取り外すことが可能であり、且つ機器本体の動作中に該操作が行われた場合でも、該動作の終了処理を確実に実行できるようにする。  【解決手段】  電子機器は、電源ユニット３を機器本体１に装着された状態でロックし、該ロック状態において操作部３００が第１の状態から第２の状態に操作された後、第３の状態に操作されることに応じて該ロックを解除するロック機構２００と、該操作部が第１の状態から第２の状態に移行したことを検出する検出手段１００と、該検出手段による検出に応じて、機器本体において実行中の動作を終了させる処理を行う制御手段１２とを有する。【選択図】  図１
2006222902.tif 000002
【特許請求の範囲】
【請求項１】
機器本体に対して電源ユニットの着脱が可能な電子機器であって、
前記電源ユニットを前記機器本体に装着された状態でロックし、該ロック状態において操作部が第１の状態から第２の状態に操作された後、第３の状態に操作されることに応じて該ロックを解除するロック機構と、
前記操作部が前記第１の状態から前記第２の状態に移行したことを検出する検出手段と、
該検出手段による検出に応じて、前記機器本体において実行中の動作を終了させる処理を行う制御手段とを有することを特徴とする電子機器。
【請求項２】
前記操作部は、操作部材が前記第１の状態から第１の軸を中心に回動して前記第２の状態になり、該第２の状態から前記第１の軸に対して略直交する第２の軸を中心に回動して前記第３の状態になることを特徴とする請求項１に記載の電子機器。
【請求項３】
該電子機器は、被写体像の光電変換によって画像情報を生成する撮像装置であり、
前記動作は、撮影された画像情報を記録媒体に記録する動作であることを特徴とする請求項１又は２に記載の電子機器。
【請求項４】
前記制御手段は、前記検出手段による検出がなされ、かつ前記機器本体において前記動作が実行中である場合は、該動作を終了させる処理を行った後に前記機器本体を電源遮断状態とし、前記検出がなされ、かつ前記動作が実行中でないときは該機器本体を電源遮断状態とすることを特徴とする請求項１から３のいずれか１つに記載の電子機器。
【請求項５】
前記ロック機構および前記操作部が、前記電源ユニットに設けられていることを特徴とする請求項１から４のいずれか１つに記載の電子機器。
【発明の詳細な説明】
【技術分野】
【０００１】
本発明は、電源ユニットの着脱が可能な電子機器、例えば、デジタルスチルカメラやビデオカメラ等の撮像装置に関する。
【背景技術】
【０００２】
装置本体に対して電源ユニットの着脱が可能な電子機器の多くは、電源ユニット装着部（収納室等）に装着された電源ユニットを保持した状態でロックする機構を有する。装着された電源ユニットの電力供給端子は、バネ圧やストッパーアーム等で装置本体側の電源端子に接触する。また、電源ユニットの取り外しに際しては、レバーをスライドさせる等して保持ロックを解放することによって行う。
【０００３】
但し、電子機器の中でも、光電変換素子を用いて被写体像を撮像する撮像装置において、画像情報を該撮像装置や外部コンピュータに装着された半導体メモリ等の記録媒体に記録している途中で電源ユニットが取り外されると、該記録処理の終了動作がなされる前に電力供給が停止してしまうために、記録媒体への保存が不完全となったり、保存された画像情報が消去又は破損してしまったりするおそれがある。
【０００４】
そこで、撮像装置から電源ユニットを取り外す際に、まず第１の操作部の操作に応じて電源ユニットを装置本体に対して所定量移動させ（但し、この状態ではまだ電源ユニットからの電力供給は継続されている）、該移動を検知して記録媒体へ画像情報を記録する処理を強制的に終了させる撮像装置が提案されている（特許文献１参照）。この撮像装置では、該第１の操作部の操作後に、第２の操作部の操作に応じて電源ユニットの保持を完全に解除し、電源ユニットの取り外しを許容する。これにより、記録媒体への画像情報の記録処理中に、装置本体から電源ユニットを取り外すための操作が行われた場合でも、該記録処理の終了動作を行う時間が確保された上で電力供給が断たれることになり、上記不都合を回避することができる。
【特許文献１】特開２００３−９２６９６号公報（段落００３０〜００３２、図９〜１１等）
【発明の開示】
【発明が解決しようとする課題】
【０００５】
しかしながら、特許文献１にて提案の撮像装置では、装置本体から電源ユニットを取り外す際に、複数の操作部の操作が必要であるために、煩わしく考えるユーザーもおり、より簡単な操作が求められている。
【０００６】
本発明は、単純な操作で機器本体から電源ユニットを取り外すことが可能であり、且つ機器本体の動作中に該操作が行われた場合でも、該動作の終了処理を確実に実行できるようにした電子機器を提供することを目的の１つとしている。
【課題を解決するための手段】
【０００７】
１つの側面としての本発明の電子機器は、電源ユニットを機器本体に装着された状態でロックし、該ロック状態において操作部が第１の状態から第２の状態に操作された後、第３の状態に操作されることに応じて該ロックを解除するロック機構と、該操作部が第１の状態から第２の状態に移行したことを検出する検出手段と、該検出手段による検出に応じて、機器本体において実行中の動作を終了させる処理を行う制御手段とを有することを特徴とする。
【発明の効果】
【０００８】
本発明によれば、単一の操作部を第１の状態から第２の状態を経て第３の状態に操作するだけで電源ユニットを取り外すことができるので、複数の操作部の操作を行う場合に比べて電源ユニットの取り外し操作を容易にすることができる。しかも、操作部が第１の状態から第２の状態に移行したことが検出されることに応じて、すなわち第３の状態に操作されて電源ユニットからの電力供給が断たれる前に、その時点で実行中の動作の終了処理が行われるので、該動作に関わるデータ（例えば、画像情報）の消去又は破損を確実に防止することができる。
【発明を実施するための最良の形態】
【０００９】
以下、図面を参照しながら本発明の実施例について説明する。
【実施例１】
【００１０】
図１には、本発明の実施例１である電子機器および撮像装置としてのデジタル一眼レフカメラの制御系の構成を示している。図１において、１はカメラ本体、２は光学レンズ５および絞り６等から構成される撮影レンズであり、カメラ本体１に対して取り外し可能に装着される。
【００１１】
３はカメラ本体１に電力を供給する電池が搭載される電源ユニットであり、カメラ本体１に対して着脱が可能である。該電源ユニット３は、後述するロック機構２００を有する。
【００１２】
４は測光、焦点検出の動作開始を指示し、さらに撮影（画像記録）を指示するための２段スイッチとなっているレリーズボタンである。このレリーズボタン４を１段目まで押し込んだ状態をいわゆる「半押し状態」といい、この状態では不図示のスイッチ（ＳＷｌ）がオンして測光および焦点検出動作が実行される。また、半押し状態からさらにレリーズボタン４を２段目まで押し込んだ状態を「全押し状態」といい、この状態では不図示のスイッチ（ＳＷ２）がオンして撮影が行われる。
【００１３】
７はシャッタ、８は被写体の光学像を電気信号に変換する光電変換素子としての撮像素子である。９は撮像素子８からのアナログの画像信号をデジタルの画像データに変換するＡ／Ｄ変換部である。また、１０は撮像素子８およびＡ／Ｄ変換部９にクロック信号や制御信号を供給するタイミング発生回路であり、メモリ制御部１１およびシステム制御部１２により制御されている。
【００１４】
１３は画像処理部であり、Ａ／Ｄ変換部９あるいはメモリ制御部１１からの画像データに対して画素補間処理や色変換処理等の所定の画像処理を行う。また、画像処理部１３は、Ａ／Ｄ変換部９から出力される画像データを用いて所定の演算処理を行い、得られた演算結果に基づいてＴＴＬ（Through-the-lens）方式のＡＷＢ（オートホワイトバランス）制御処理も行う。
【００１５】
メモリ制御部１１は、Ａ／Ｄ変換部９、タイミング発生回路１０、画像処理部１３、画像表示メモリ１４、表示制御部１５、メモリ１６および圧縮伸長部１７を制御する。Ａ／Ｄ変換部９から出力されるデータは、画像処理部１３およびメモリ制御部１１を介して、あるいはＡ／Ｄ変換部９のデータが直接メモリ制御部１１を介して、画像表示メモリ１４あるいはメモリ１６に書き込まれる。
【００１６】
メモリ１６は、撮影された画像データを格納するためのメモリであり、所定枚数の画像データを格納するのに十分な記憶容量を備えている。圧縮伸長部１７は、メモリ１６から読み出した画像データを所定の画像圧縮方法（例えば、適用離散コサイン変換など）に従って圧縮したり、メモリ１６に格納された画像を読み込んで圧縮処理あるいは伸長処理を行い、処理を終えた画像データを再度メモリ１６に書き込んだりする。この処理がなされた画像データは、さらに記録媒体１８に記録される。この記録媒体１８は、フラッシュメモリ等の不揮発性半導体メモリ、光ディスク等によって構成されている。
【００１７】
また、メモリ１６は、システム制御部１２の作業領域としても使用することが可能である。さらに、記録媒体１８から画像データをメモリ１６に読み出し、画像処理部１３やメモリ制御部１１を介して画像表示メモリ１４に画像データを書き込む処理をして、表示制御部１５により画像表示部１９に表示する場合にも使用される。
【００１８】
２０はシャッタ７を制御するシャッタ制御部、２１は絞り６を制御する絞り制御部である。２２は撮影レンズ２のフォーカシングを制御するフォーカス制御部、２３はフラッシュ発光部、２４は該フラッシュ発光部２３の発光を制御するフラッシュ制御部である。
【００１９】
システム制御部（制御手段）１２はカメラ全体の制御を司る。システム制御部１２は、ＣＰＵを含むマイクロコンピュータユニットから構成されており、メモリ２５に格納されたプログラムを実行する。メモリ２５は、システム制御部１２の動作用の定数、変数、プログラムなどを記憶するメモリであり、このメモリ２５には、撮像処理を行うプログラム、画像処理を行うプログラム、作成した画像ファイルデータを記録媒体に記録するプログラム、画像ファイルデータを記録媒体から読み出すプログラムなどの各種プログラムと、上記プログラムのマルチタスク構成を実現し実行するＯＳ（オペレーションシステム）などの各種プログラムが記録されている。
【００２０】
１００は電源ユニット３のカメラ本体１への着脱状態を検知する検出手段としての検知スイッチである。この検知スイッチ１００は、電源ユニット３に設けられた操作部３００が、後述する第１の状態であるのか第２の状態にあるのかによって信号出力のＯＮ／ＯＦＦを切り換える。
【００２１】
２６は電源制御部であり、電源検出回路、ＤＣ−ＤＣコンバータ、電力を供給する回路ブロックを切り換えるスイッチ回路等により構成されている。該電源制御部２６は、電源ユニット３の操作部３００の状態に連動する検知スイッチ１００からの出力信号のＯＮ／ＯＦＦ、該電源ユニット３に搭載された電池の種類、電池残量の検出等を行い、その検出結果およびシステム制御部１２からの指示に基づいて、ＤＣ−ＤＣコンバータを制御し、必要な電力を必要な期間、記録媒体を含む各部へ供給する。
【００２２】
ここで、電源ユニット３は、カメラ本体１に電源ユニット３を装着固定するためのロック機構２００と、該ロック機構２００のロックを解除するために操作される操作部３００と、カメラ本体１に電力を供給する電源部４００とにより構成される。電源部４００には、後述するように電池が着脱可能に搭載される。
【００２３】
操作部３００は、図２Ａ〜２Ｃに示すように、カメラ本体１の外観の一部を形成する部分に備えられている。
【００２４】
操作部３００は、図２Ａに示すように、図２Ｃに矢印Ａで示す電源ユニット３の着脱方向に対して略直交する第１の軸Ｂを中心に回動可能な操作部材としての開閉つまみ３０２を有する。すなわち、操作部３００は、開閉つまみ３０２が図２Ａに示す閉位置にある第１の状態と、図２Ｂに示す開位置にある第２の状態とに移行可能である。これら第１および第２の状態では、ロック機構２００はロック状態（係止状態）にある。
【００２５】
さらに、操作部３００は、図２Ｃに示すように、電源ユニットの着脱方向Ａに対して略平行な第２の軸Ｃを中心に回動可能であり、図２Ｂに示す第２の状態から約９０度回動して図２Ｃに示す第３の状態となる。この第３の状態において、ロック機構２００のロックが解除される。
【００２６】
図３には、電源ユニット３が取り外された状態のカメラ本体１を示している。図示のように、カメラ本体１における電源ユニット３の装着位置である電源室１ａの開口の上部には、電源ユニット３を係止するための係止部材２７と、検知スイッチ１００を構成する中継部材１０１とが配設されている。係止部材２７は、不図示の固定部材によってカメラ本体１に固定されている。
【００２７】
図４および図５には、電源ユニット３の構成を示している。３０１は蓋部材であり、電源ユニット３がカメラ本体１に装着された状態で、該カメラの外観の一部を構成する。該蓋部材３０１の表面側には、操作部３００が配設されている。電源部４００には、電池４０１が着脱可能となっており、電源ユニット３のベース部材４１０に固定されている。なお、本実施例では、電源部４００に対して電池４０１を着脱可能な構成としているが、電源部４００自体が電池であってもよい。
【００２８】
操作部３００の構成要素である開閉つまみ３０２は、ピン３０３によって該ピン３０３（第１の軸）を中心に回動可能に回転部材３０５に取り付けられる。また、開閉つまみ３０２は、ピン３０３の外周に取り付けられたバネ３０４によって開方向（第２の状態となる方向）に付勢される。
【００２９】
また、開閉爪３０６は、バネ３０７によって開閉つまみ３０２の外側に向かって付勢された状態で、開閉つまみ３０２の裏面と押さえ板３０８とによって挟み込まれている。押さえ板３０８はビス３０９によって開閉つまみ３０２の裏面側に固定される。バネ３０７によって付勢された開閉爪３０６の爪部３０６ａが、蓋部材３０１に形成された爪係止部３０１ａに係合することで、操作部３００は第１の状態（閉位置）に係止される。
【００３０】
さらに、回転部材３０５は蓋部材３０１の表面側に形成された凹部内に回転可能に配置され、蓋部材３０１の裏面側に配置された係止板２０１と一体回転可能に結合される。この結合には、ビス３１０が用いられる。具体的には、係止板２０１の略中央に形成された矩形穴部２０１ａに、回転部材３０５の裏面側に形成された四角柱形状の突起部３０５ａが挿入され、その状態でビス３１０により両者が結合される。
【００３１】
検知スイッチ１００の構成要素である第１の中継部材１０２は、蓋部材３０１の裏面側に配置される。該第１の中継部材１０２には、バネ１０３の一端が当接し、該バネ１０３の他端は電源部４００の端面４００ａに当接する。これにより、第１の中継部材１０２は、蓋部材３０１側（すなわち、電源ユニット３の取り外し方向）に付勢された状態で蓋部材３０１により保持される。該第１の中継部材１０２は、電源ユニット３内において、バネ１０３のストローク分、電源部４００側と蓋部材３０１側、すなわち電源ユニット３の着脱方向に移動可能である。
【００３２】
図６および図７には、検知スイッチ１００の構成を示している。検知スイッチ１００の構成要素である電気スイッチ１０４は、ハードプリント配線板１０５に実装されている。ハードプリント配線板１０５は、不図示のビスによってカメラ本体１に固定されている。
【００３３】
第２の中継部材１０１は、ビス１０６によって電源ユニット３の着脱方向に移動可能にカメラ本体１に取り付けられている。該第２の中継部材１０１は、バネ１０７によって第１の中継部材１０２側（電源ユニット３の取り外し方向）に付勢される。
【００３４】
前述したように電池蓋３０１と電源部４００との間に配置された第１の中継部材１０２には、つまみ検知部１０２ａが形成されており、このつまみ検知部１０２ａは、前述したバネ１０３の付勢力によって蓋部材３０１の上記凹部の底面に相当するつまみ受け面３０１ｂから凹部内に突出する。
【００３５】
次に、図８〜図１３を用いて、本実施例のカメラにおける電源ユニット３を取り外す際の操作について説明する。
【００３６】
図８（ａ），（ｂ）および図９には、カメラ本体１の電源室１ａに電源ユニット３が装着され、操作部３００が第１の状態にあるときの各部材の様子を示している。このとき、図８（ａ）に示す蓋部材３０１の表面側においては、開閉つまみ３０２は、開閉爪３０６の爪部３０６ａが蓋部材３０１の爪係止部３０１ａに係合することによって回転部材３０５に対して倒れ、蓋部材３０１の凹部（図６，７中の３０１ｂ）内に収容された状態に保持されている。
【００３７】
また、図８（ｂ）に示す蓋部材３０１の裏面側においては、電源ユニット３に設けられた係止板２０１が、カメラ本体１に設けられた係止部材２７に係合している。これにより、電源ユニット３はカメラ本体１電源室１ａ内に装着された状態でロック（係止）される。そして、該第１の状態では、電源ユニット３からカメラ本体１に対して電源供給可能な状態となっている。
【００３８】
この状態において、図９に示すように、開閉つまみ３０２によって第１の中継部材１０２のつまみ検知部１０２ａが押し込まれており、第１の中継部材１０２がバネ１０３の付勢力に抗して第２の中継部材１０１側（電源ユニット３の装着方向）に移動している。この移動によって、第１の中継部材１０２に当接する第２の中継部材１０１も電源ユニット３の装着方向に移動し、第２の中継部材１０１によって押された電気スイッチ１０４がＯＮ状態にある。
【００３９】
この状態から、開閉爪３０６を図８（ａ）中の矢印方向に操作して開閉爪３０６ａと蓋部材３０１の爪係止部３０１ａとの係合を解除することにより、開閉つまみ３０２はバネ３０４の付勢力によってピン３０３を中心として回動し、図１１に示すように蓋部材３０１に対して起き上がる。
【００４０】
図１０（ａ），（ｂ）および図１１には、まだカメラ本体１に電源ユニット３が装着されているが、操作部３００が、開閉つまみ３０２が起き上がった第２の状態となったときの各部材の様子を示している。
【００４１】
この状態では、開閉つまみ３０２は、第１の状態とは異なり、起き上がっているが、図１０（ｂ）に示すように、電源ユニット３の係止板２０１とカメラ本体１の係止部材２７とは第１の状態と同様に係合しているため、電源ユニット３のカメラ本体１に対するロック状態は維持されている。また、電源ユニット３からカメラ本体１に対する電源供給も可能な状態が維持されている。
【００４２】
但し、図１１に示すように、開閉つまみ３０２は第１の中継部材１０２のつまみ検知部１０２ａから完全に離れる。このため、第１の中継部材１０２、さらには第２の中継部材１０１はそれぞれ、バネ１０３およびバネ１０７の付勢力によって、第１の状態から図１１中の矢印方向である電源ユニット３の取り外し方向に移動する。このため、第２の中継部材１０１は電気スイッチ１０４から離れ、電気スイッチ１０４からの信号出力がＯＮからＯＦＦに切り換わる。
【００４３】
このＯＮからＯＦＦへの切り換わりを検出したシステム制御部１２は、操作部３００が第１の状態から第２の状態に移行したと判別し、後述する記録動作を終了する処理を実行した後、カメラ本体１の電源を遮断する処理を実行する。
【００４４】
そして、図１０（ａ）に矢印で示した方向（以下、電源取り外し回転方向という）に開閉つまみ３０２が操作されると、操作部３００は第３の状態となる。
【００４５】
図１２（ａ），（ｂ）および図１３には、操作部３００が、カメラ本体１から電源ユニット３の取り外しが可能となる第３の状態にあるときの各部材の様子を示している。
【００４６】
開閉つまみ３０２が上述した電源取り外し回転方向に操作されると、開閉つまみ３０２とピン３０３によって連結された回転部材３０５も同方向に一体となって回転する。さらに、回転部材３０５に連結された電源ユニット３の係止板２０１も同方向に回転する。これにより、図１２（ｂ）に示すように、係止板２０１とカメラ本体１の係止部材２７との係合が解除される。このとき、検知スイッチ１００は第２の状態と同様の状態にあり、電気スイッチ１０４からの信号出力はＯＦＦである。
【００４７】
そして、電源ユニット３をその取り外し方向に引っ張ることで、カメラ本体１から電源ユニット３を取り外すことができる。
【００４８】
次に、電源ユニット３をカメラ本体１に装着する際の操作について説明する。まず、電源ユニット３をカメラ本体１に挿入する。この際、操作部３００を第３の状態とし、図１２に示したように、電源ユニット３の係止板２０１がカメラ本体１の係止部材２７に当たらないようにしておく必要がある。
【００４９】
電源ユニット３をカメラ本体１に挿入した後、開閉つまみ３０２を電源取り外し回転方向とは逆方向に回動させて図１０に示した第２の状態にする。この第２の状態において、電源ユニット３の係止板２０１がカメラ本体１の係止部材２７と係合し（図１０（ｂ）参照）、電源ユニット３はカメラ本体１に装着された状態でロックされる。また、電源ユニット３からカメラ本体１への電源供給も可能な状態となる。なお、この状態では、図１１に示すように開閉つまみ３０２は検知スイッチ１００から離れているので、電気スイッチ１０４からの信号出力はＯＦＦのままであり、カメラ本体１の電源もＯＦＦのままである。
【００５０】
その後、開閉つまみ３０２を倒して、図８に示す第１の状態にすると、該開閉つまみ３０２によって、つまみ検知部１０２ａを介して第１および第２の中継部材１０２，１０１が押し込まれ、電気スイッチ１０４からの信号出力がＯＮになる。この第１の状態において、カメラ本体１の電源スイッチがＯＮ操作された場合には、直ちに電源ユニット３からの電源供給が開始される。
【００５１】
図１４は、カメラ本体１から電源ユニット３を取り外す際に行われるシステム制御部１２の動作を示すフローチャートである。
【００５２】
まず、ステップ（図ではＳと略記する）７０１において、システム制御部１２は電源制御部２６を介して検知スイッチ１００（電気スイッチ１０４）からの信号を読み取り、図２（ａ）に示したように電源ユニット３がカメラ本体１に装着され、かつ操作部３００が第１の状態（出力信号はＯＮ）か、図２（ｂ）に示したように電源ユニット３がカメラ本体１に装着されているが操作部３００は第２の状態（出力信号はＯＦＦ）のいずれかを判別する。操作部３００が第１の状態から第２の状態に移行すると、検知スイッチ１００の出力信号がＯＮからＯＦＦに切り換わるので、ステップ７０２に進む。
【００５３】
ステップ７０２では、システム制御部１２は、現在、画像処理部１３による記録媒体１８への画像情報の記録（転送）動作中、すなわち、メモリ１６内の画像情報（画像ファイルデータ）を記録媒体１８に記録するプログラムに従った動作の実行中であるか否かを判別する。記録動作中でないと判別した場合には、直ちにステップ７０４に進み、カメラ本体１の全動作（但し、時計機能等、電源遮断状態でも内部バッテリーで機能する動作は除く）を停止して電源遮断状態とする。
【００５４】
一方、ステップ７０２で記録動作中であると判別した場合には、ステップ７０３に進み、該記録動作を強制的に終了するための処理、具体的には、前述した画像ファイルデータを記録媒体に記録するプログラムを適正に終了し、書き込みエラーや読み出しエラーを生じさせないようにするために必要なプログラム上の処理を行う。これにより、記録中の画像情報や既に記録媒体１８に保存された画像情報が消去されたり破損したりしてしまう等の不都合を回避することができる。そして、ステップ７０４に進み、カメラ本体１の全動作を停止して電源遮断状態とする。
【００５５】
以上説明したように、本実施例によれば、単一の操作部３００を第１の状態から第２の状態を経て第３の状態に操作するだけで電源ユニット３をカメラ本体１から取り外すことができ、電源ユニット３の取り外し操作が容易であるとともに、第３の状態に操作されて電源ユニット３からの電力供給が断たれる前に、その時点で実行中の動作の終了処理が行われるので、該動作に関わる画像データの消去又は破損を確実に防止することができる。
【００５６】
また、操作部３００が第１の状態から第２の状態に操作されたときに、撮像処理を行うプログラムや画像処理を行うプログラムや画像ファイルデータを記録媒体から読み出すプログラムなどが実行されていた場合には、それらを適正に終了する処理を行うようにしてもよい。
【００５７】
なお、操作部の構成および操作形態は上記実施例にて説明したものに限られず、第１、第２および第３の状態をとり得る形態の操作部であればよい。
【００５８】
また、本実施例では、デジタル一眼レフカメラについて説明したが、本発明は、通常のコンパクトタイプのデジタルカメラ、ビデオカメラといった他の撮像装置や、ノート型パーソナルコンピュータやその他の（特に携帯型の）電子機器であって、電源ユニットの着脱が可能なもののすべてに適用することができる。この場合の「終了処理」は、画像データの記録動作の終了処理に限らず、電源ユニットを取り外すための操作が行われた際に実行中の様々な動作の終了処理とすることができる。
【図面の簡単な説明】
【００５９】
【図１】本発明の実施例であるカメラの制御系の構成を示すブロック図。
【図２Ａ】実施例のカメラ（第１の状態）を示す斜視図。
【図２Ｂ】実施例のカメラ（第２の状態）を示す斜視図。
【図２Ｃ】実施例のカメラ（第３の状態）を示す斜視図。
【図３】実施例のカメラ（電源ユニットが取り外された状態）を示す斜視図。
【図４】実施例のカメラに装着される電源ユニットの構成を示した斜視図。
【図５】実施例の電源ユニットの構成を示した斜視図。
【図６】実施例のカメラに設けられた検知スイッチの構成を示した斜視図。
【図７】実施例の検知スイッチの構成を示した斜視図。
【図８】実施例のカメラの第１の状態における各部材の様子を示す図。
【図９】実施例のカメラの第１の状態における各部材の様子を示す断面図。
【図１０】実施例のカメラの第２の状態における各部材の様子を示す図。
【図１１】実施例のカメラの第２の状態における各部材の様子を示す断面図。
【図１２】実施例のカメラの第３の状態における各部材の様子を示す図。
【図１３】実施例のカメラの第３の状態における各部材の様子を示す断面図。
【図１４】実施例のカメラの動作を示すフローチャート。
【符号の説明】
【００６０】
１  カメラ本体
３  電源ユニット
１２  システム制御部
１６  メモリ
１８  記録媒体
２６    電源制御部
１００  検知スイッチ
２００  ロック機構
３００  操作部
３０２  開閉つまみ
４００  電源部
【図１】
2006222902.tif 000003
【図２Ａ】
2006222902.tif 000004
【図２Ｂ】
2006222902.tif 000005
【図２Ｃ】
2006222902.tif 000006
【図３】
2006222902.tif 000007
【図４】
2006222902.tif 000008
【図５】
2006222902.tif 000009
【図６】
2006222902.tif 000010
【図７】
2006222902.tif 000011
【図８】
2006222902.tif 000012
【図９】
2006222902.tif 000013
【図１０】
2006222902.tif 000014
【図１１】
2006222902.tif 000015
【図１２】
2006222902.tif 000016
【図１３】
2006222902.tif 000017
【図１４】
2006222902.tif 000018